(57)【特許請求の範囲】
【請求項１】
放送局を表すメインチャンネルと放送番組を表すサブチャンネルとを指定することにより放送を受信するデジタル放送受信機において、
クリアキーをサブチャンネル変更補助キーとして割り当て、
視聴中の操作の最初に、前記クリアキーを押しながら所望の数字キーが押された場合、メインチャンネルは変更せずにサブチャンネルのみを前記数字キーに該当するサブチャンネルの放送に切り換えることを特徴とするデジタル放送受信機。
【発明の詳細な説明】
【技術分野】
【０００１】
本発明は、放送局を表すメインチャンネルと放送番組を表すサブチャンネルとを指定することにより放送を受信するデジタル放送受信機に関するものである。
【背景技術】
【０００２】
従来より、テレビ放送受信機におけるチャンネル選択のための入力には、リモコン等の入力手段に備えられたチャンネルアップダウンキーを用いたり、テンキー等の数字キーを用いたりしている。例えば、ユーザがどのチャンネルを視聴するのかを決めずに順次チャンネルを選局し、気に入った番組が放送されていたときにそのチャンネルを視聴する場合は、チャンネルアップダウンキーを用いて選局するのが便利である。一方、ユーザが予め視聴したいチャンネルが分かっており、そのチャンネルにいち早く選局したいときには、数字キーを用いて選局するのが適している。
【０００３】
ところで、テレビ放送がアナログからデジタルに移行するに伴って放送の種類も多様化し、１チャンネル分の帯域を利用したＨＤ（High Definition）放送や、１チャンネル分の帯域を複数チャンネルに分けて利用したＳＤ（Standard Definition）放送等が、随時放送される。その際、放送局を表すメインチャンネルと放送番組を表すサブチャンネルとを指定することにより受信する放送を決定する。
【０００４】
従来のデジタル放送受信機において、所望のチャンネルを入力するには、ユーザはリモコン等を用いてメインチャンネルの番号、決定キー、サブチャンネルの番号、決定キーの順にキー操作していた。そのため、メインチャンネルはそのままにサブチャンネルだけを変更する場合にもメインチャンネルから順に入力しなければならず手間が掛かる。またチャンネルアップダウンキーを用いるとサブチャンネルが順に切り替わるが、所望のサブチャンネルにするには複数回押さなければならない場合がある。この問題を解決するため様々な提案がなされている。
【０００５】
例えば特許文献１には、選局の最初にハイフンを入力することで以降の番号入力はサブチャンネルとして扱うことが開示されている。これにより、メインチャンネルは変更せずにサブチャンネルだけを変更できるとしている。
【特許文献１】特開２００２−２３２７９６号公報
【発明の開示】
【発明が解決しようとする課題】
【０００６】
しかしながら、特許文献１ではリモコンにハイフンキーを設けなければならず、従前より多くのキーが設けられているリモコンに更にキーを増やすことになる。これは、リモコンの大型化やコストアップになるとともに、多くのキーからハイフンキーを見つけなければならないため操作性が良いとは言えない。
【０００７】
本発明は、操作キーの数を増やさず、容易にサブチャンネルだけを変更することができるデジタル放送受信機を提供することを目的とする。
【課題を解決するための手段】
【０００８】
上記目的を達成するために本発明は、放送局を表すメインチャンネルと放送番組を表すサブチャンネルとを指定することにより放送を受信するデジタル放送受信機において、視聴中の操作で少なくとも最初には使用しない所定キーをサブチャンネル変更補助キーとして割り当て、視聴中の操作の最初に、前記サブチャンネル変更補助キーとともに所望の数字キーが操作された場合、メインチャンネルは変更せずにサブチャンネルのみを前記数字キーに該当するサブチャンネルの放送に切り換えることを特徴とする。
【０００９】
この構成によると、視聴中にサブチャンネル変更補助キーを用いてサブチャンネルのみを変更することができる。
【００１０】
なお上記のデジタル放送受信機において、前記所定キーは例えば、クリアキーとすることができる。
【００１１】
また本発明は、放送局を表すメインチャンネルと放送番組を表すサブチャンネルとを指定することにより放送を受信するデジタル放送受信機において、視聴中の操作で少なくとも最初には使用しない所定キーを所定のサブチャンネルキーとして割り当て、視聴中の操作の最初に、前記サブチャンネルキーが操作された場合、メインチャンネルは変更せずにサブチャンネルのみを前記所定キーに割り当てられたサブチャンネルの放送に切り換えることを特徴とする。
【００１２】
この構成によると、視聴中にサブチャンネルキーを用いてサブチャンネルのみを変更することができる。
【００１３】
なお上記のデジタル放送受信機において、前記所定キーは例えば、矢印キーとすることができる。
【００１４】
また本発明は、放送局を表すメインチャンネルと放送番組を表すサブチャンネルとを指定することにより放送を受信するデジタル放送受信機において、数字キーの長押しによる入力を該数字キーに対応するサブチャンネルの番号として割り当て、視聴中の操作の最初に、数字キーの長押しによる入力を受けた場合、メインチャンネルは変更せずにサブチャンネルのみを前記数字キーに対応するサブチャンネルの放送に切り換えることを特徴とする。
【００１５】
この構成によると、視聴中に数字キーを用いてサブチャンネルのみを変更することができる。
【発明の効果】
【００１６】
本発明によれば、サブチャンネル変更補助キーを設定することにより、キー操作の回数を減らして容易にサブチャンネルだけを変更することができる。また、サブチャンネル変更補助キーは他のキーと兼用しているので、操作キーを追加する必要がなく、リモコンの大型化やコストアップを抑制できる。更に、操作キーの数が少ないため操作性も良い。
【００１７】
また本発明によれば、サブチャンネルキーを設定することにより、キー操作の回数を減らして容易にサブチャンネルだけを変更することができる。また、サブチャンネルキーは他のキーと兼用しているので、操作キーを追加する必要がなく、リモコンの大型化やコストアップを抑制できる。更に、操作キーの数が少ないため操作性も良い。
【００１８】
また本発明によれば、数字キーの長押しをサブチャンネルの入力であると認識するように設定することにより、キー操作の回数を減らして容易にサブチャンネルだけを変更することができる。また、サブチャンネルの入力に用いる数字キーはメインチャンネル等を入力するための数字キーと兼用しているので、操作キーを追加する必要がなく、リモコンの大型化やコストアップを抑制できる。更に、操作キーの数が少ないため操作性も良い。
【発明を実施するための最良の形態】
【００１９】
図１は、デジタル放送受信機１０の構成を示すブロック図である。１１はユーザが電源のオン／オフ操作をしたり、選局等の各種操作を行う操作部である。なお、操作部１１は遠隔操作可能なリモコンとしてもよい。１２はデジタル放送波を受信するアンテナ部であり、１３はアンテナ部１２で受信したデジタル放送波から所望のチャンネルの放送を選局するチューナ部、１４はチューナ部１３からの出力波をデジタル信号に変換するＡ／Ｄ変換部、１５はその出力をデータに復調する復調部である。
【００２０】
また、１６は復調部１５で復調されたデータを種別毎に分離して出力するＴＳデマルチプレクサであり、１７はその分離されたデータを記憶するＲＡＭ、１８はデジタル放送受信機１０の動作に必要な情報を記憶しているＲＯＭである。１９はＲＡＭ１７に記憶されたデータ中の音声データをアナログ化するＤ／Ａ変換部であり、２０はＤ／Ａ変換部１９によりアナログ化された音声データを出力する音声信号出力部、２１は音声を放音するスピーカである。
【００２１】
また、２２はＲＡＭ１７に記憶されたデータ中の映像データを圧縮前の映像データに復号化するＭＰＥＧ（Motion Picture Experts Group）２デコード部であり、２３はその復号化された映像データをＮＴＳＣ復号テレビジョン信号に復号化するＮＴＳＣエンコード部、２４はそのＮＴＳＣ復号テレビジョン信号を出力する映像信号出力部、２５は映像を表示するディスプレイである。そして、２６はデジタル放送受信機１０の動作を制御するＭＰＵである。
【００２２】
次に、デジタル放送受信機１０が放送を受信するときの動作について説明する。まず、送信されてきたデジタル放送波をアンテナ部１２で受信する。操作部１１が選局操作されると、チューナ部１３は受信するトランスポンダの切換を行う。受信したデジタル放送波はＡ／Ｄ変換部１４によりデジタル化され、復調部１５によりデータが復調される。
【００２３】
もともと、デジタル信号は送信側からＴＳ（Transport Stream）パケットの形で伝送されてくる。ＴＳパケットは映像データ、音声データ、チャンネルデータ（メインチャンネル及びサブチャンネルに関するデータ）等を含む制御データからなり、この制御データをＴＳデマルチプレクサ１６により、分離して出力し、ＲＡＭ１７に記憶する。そして、ＲＡＭ１７から読み出した音声データをＤ／Ａ変換部１９によりアナログ化し、音声信号出力部２０を介してスピーカ２１から音声を放音する。
【００２４】
また、ＲＡＭ１７から読み出した映像データをＭＰＥＧ２デコード部２２により圧縮前の映像データに復号化し、ＮＴＳＣエンコード部２３によりＮＴＳＣ復号テレビジョン信号に復号化し、映像信号出力部２４を介してディスプレイ２５に映像を表示する。
【００２５】
次に、操作部１１をリモコンとした場合のリモコンの平面図を図２に示す。リモコン３０は、デジタル放送受信機１０の動作を赤外線等を用いて指示できるように構成されている。即ち、デジタル放送受信機１０の電源をオン／オフするパワーキー３１と、受信するチャンネル番号を入力する数字キー３２と、順次チャンネルを選局するチャンネルアップダウンキー３３と、メニュー画面を呼び出すメニューキー３４と、所望の方向にカーソルを移動させる矢印キー３５（３５ａ〜３５ｄ）と、入力を確定するエンターキー３６と、音声ボリュームを調整するボリュームアップダウンキー３７と、セットアップ画面を呼び出すセットアップキー３８と、数字キー３２で入力中に誤入力した場合に、直前に入力した番号を消去するクリアキー３９とを備えている。
【００２６】
次に、デジタル放送受信機１０におけるサブチャンネルの選局時の動作について３つの実施形態を例に説明する。以下、メインチャンネルとサブチャンネルの番号間は「−」で区切るものとし、例えばメインチャンネルが１２でサブチャンネルが３の場合は、「１２−３」と記すものとする。通常、サブチャンネルは１〜４が存在する。
【００２７】
〈第１の実施形態〉
第１の実施形態は、視聴中の操作で少なくとも最初には使用しない所定キーをサブチャンネル変更補助キーとして割り当て、視聴中の操作の最初に、サブチャンネル変更補助キーとともに所望の数字キー３２が操作された場合、メインチャンネルは変更せずにサブチャンネルのみを数字キー３２に該当するサブチャンネルの放送に切り換えるものである。
【００２８】
サブチャンネル変更補助キーとは、視聴中、サブチャンネル変更補助キーを押しながら所望の数字キー３２を押すことにより、メインチャンネルは変更せずにサブチャンネルだけを押下された数字キーのサブチャンネルに切り換えるためのキーである。このサブチャンネル変更補助キーとしては、視聴中の操作で少なくとも最初には使用しないキーを割り当てればよく、例えば図２のクリアキー３９や矢印キー３５を兼用で用いることができる。
【００２９】
例えば、サブチャンネル変更補助キーとしてクリアキー３９を割り当てる。そして例えば、１２−１チャンネルを視聴している状態から１２−４チャンネルに切り換えたい場合、ユーザはクリアキー３９を押しながら数字キー３２の「４」を押せばよい。これにより、デジタル放送受信機１０はサブチャンネルを「４」に変更する指示があったと判断し、直ちに１２−４チャンネルに切り換える。
【００３０】
従来であれば、数字キー３２の「１」、数字キーの「２」、エンターキー３６、数字キーの「４」、エンターキー３６の順にキー操作するか、チャンネルアップダウンキー３３のチャンネルアップキーを３回押す必要があったが、本実施形態のようにサブチャンネル変更補助キーを設定することにより、キー操作の回数を減らして容易にサブチャンネルだけを変更することができる。
【００３１】
また、サブチャンネル変更補助キーは他のキーと兼用しているので、特許文献１のようにハイフンキーなどの操作キーを追加する必要がなく、リモコンの大型化やコストアップを抑制できる。また、操作キーの数が少ないため操作性も良い。
【００３２】
〈第２の実施形態〉
第２の実施形態は、視聴中の操作で少なくとも最初には使用しない所定キーを所定のサブチャンネルキーとして割り当て、視聴中の操作の最初に、サブチャンネルキーが操作された場合、メインチャンネルは変更せずにサブチャンネルのみを所定キーに割り当てられたサブチャンネルの放送に切り換えるものである。
【００３３】
サブチャンネルキーとは、視聴中、サブチャンネルキーを押すことにより、メインチャンネルは変更せずにサブチャンネルだけを、押下されたサブチャンネルキーに割り当てられたサブチャンネルの番号の放送に切り換えるためのキーである。このサブチャンネルキーとしては、視聴中の操作で少なくとも最初には使用しないキーを割り当てればよく、例えば図２の矢印キー３５を兼用で用いることができる。
【００３４】
例えば、サブチャンネルキーとして矢印キー３５ａ〜３５ｄを順にサブチャンネル１〜４に割り当てる。そして例えば、１２−１チャンネルを視聴している状態から１２−４チャンネルに切り換えたい場合、ユーザは矢印キー３５ｄを押せばよい。これにより、デジタル放送受信機１０はサブチャンネルを「４」に変更する指示があったと判断し、直ちに１２−４チャンネルに切り換える。なお、サブチャンネルの番号は１〜４と決まっているわけではないので、矢印キー３５ａ〜３５ｄはサブチャンネル番号の小さい順に割り当てればよい。
【００３５】
従来であれば、数字キー３２の「１」、数字キーの「２」、エンターキー３６、数字キーの「４」、エンターキー３６の順にキー操作するか、チャンネルアップダウンキー３３のチャンネルアップキーを３回押す必要があったが、本実施形態のようにサブチャンネルキーを設定することにより、キー操作の回数を減らして容易にサブチャンネルだけを変更することができる。
【００３６】
また、サブチャンネルキーは他のキーと兼用しているので、特許文献１のようにハイフンキーなどの操作キーを追加する必要がなく、リモコンの大型化やコストアップを抑制できる。また、操作キーの数が少ないため操作性も良い。
【００３７】
〈第３の実施形態〉
第３の実施形態は、数字キー３２の長押しによる入力を該数字キー３２に対応するサブチャンネルの番号として割り当て、視聴中の操作の最初に、数字キー３２の長押しによる入力を受けた場合、メインチャンネルは変更せずにサブチャンネルのみを上記の数字キー３２に対応するサブチャンネルの放送に切り換えるものである。
【００３８】
数字キー３２の長押しとは、一定時間（例えば２秒）以上同じ数字キー３２を押し続ける状態をいう。数字キー３２に対応するサブチャンネルの番号として割り当てるとは、それぞれの数字キー３２の長押しを数字キー３２と同じ番号のサブチャンネルとして認識するように制御することである。但し、メインチャンネルの入力と区別するため、視聴中の操作の最初に数字キー３２を長押しする場合に限り、サブチャンネル番号の入力として認識するように制御する。
【００３９】
例えば、１２−１チャンネルを視聴している状態から１２−４チャンネルに切り換えたい場合、ユーザは数字キー３２の「４」を長押しすればよい。これにより、デジタル放送受信機１０はサブチャンネルを「４」に変更する指示があったと判断し、直ちに１２−４チャンネルに切り換える。
【００４０】
従来であれば、数字キー３２の「１」、数字キーの「２」、エンターキー３６、数字キーの「４」、エンターキー３６の順にキー操作するか、チャンネルアップダウンキー３３のチャンネルアップキーを３回押す必要があったが、本実施形態のように数字キーの長押しをサブチャンネルの入力であると認識するように設定することにより、キー操作の回数を減らして容易にサブチャンネルだけを変更することができる。
【００４１】
また、サブチャンネルの入力に用いる数字キー３２はメインチャンネル等を入力するための数字キー３２と兼用しているので、特許文献１のようにハイフンキーなどの操作キーを追加する必要がなく、リモコンの大型化やコストアップを抑制できる。また、操作キーの数が少ないため操作性も良い。
【産業上の利用可能性】
【００４２】
本発明は、放送局を表すメインチャンネルと放送番組を表すサブチャンネルとを指定することにより放送を受信するデジタル放送受信機に利用でき、デジタルテレビをはじめ、デジタル放送を受信可能なビデオ装置、光ディスク装置、ハードディスク装置や、それらの複合機に適用することができる。
【図面の簡単な説明】
【００４３】
【図１】デジタル放送受信機の構成を示すブロック図である。
【図２】リモコンの平面図である。
【符号の説明】
【００４４】
１０    デジタル放送受信機
３２    数字キー
３５    矢印キー（サブチャンネルキー）
３９    クリアキー（サブチャンネル変更補助キー）
【図１】
0004788402.tif 000002
【図２】
0004788402.tif 000003